(57)【要約】    【課題】  放音口からピアノ線等の不正部材を挿入して内部の装置類を操作する不正行為を防止できるようにする。    【解決手段】  遊技機本体１側の支持板２８と、該支持板２８の前側を覆う前カバー６とを備え、支持板２８にスピーカユニット５１を含むスピーカ２５を、前カバー６にスピーカ２５に対応する放音口１９，２０，７５を夫々設ける。スピーカユニット５１はその外周側の取り付け板４９を介して支持板２８に装着する一方、その取り付け板４９に、放音口１９，２０，７５の外側で前カバー６側に突出する不正防止壁６７，６８を一体に設けも【選択図】    図４
2010227608.tif 000002
【特許請求の範囲】
【請求項１】
遊技機本体（１）側の支持板（２８）と、該支持板（２８）の前側を覆う前カバー（６）とを備え、前記支持板（２８）にスピーカユニット（５１）を含むスピーカ（２５）を、前記前カバー（６）に前記スピーカ（２５）に対応する放音口（１９）（２０）（７５）を夫々設けた遊技機において、前記スピーカユニット（５１）をその外周側の取り付け板（４９）を介して前記支持板（２８）に装着し、前記取り付け板（４９）に、前記放音口（１９）（２０）（７５）の外側で前記前カバー（６）側に突出する不正防止壁（６７）（６８）を一体に設けたことを特徴とする遊技機。
【請求項２】
前記スピーカ（２５）はバスレフ型であることを特徴とする請求項１に記載の遊技機。
【請求項３】
前記支持板（２８）に後方へと凹入する収容室（４３）を形成する収容箱（４４）を設け、前記収容室（４３）内に前記スピーカユニット（５１）を配置したことを特徴とする請求項１又は２に記載の遊技機。
【請求項４】
前側に前記取り付け板（４９）を有するスピーカボックス（５０）を前記支持板（２８）に着脱自在に装着したことを特徴とする請求項１〜３の何れかに記載の遊技機。
【請求項５】
前記遊技機本体（１）は弾球遊技機の外枠（２）と該外枠（２）に開閉自在に枢着され且つ遊技盤（７）を有する前枠（４）とを備え、前記遊技盤（７）の下側で前記前枠（４）に前記支持板（２８）を備え、該支持板（２８）の前側に開閉自在に配置された開閉扉（６）により前記前カバー（６）を構成し、前記支持板（２８）に、前記スピーカ（２５）の側方で前記支持板（２８）に前記遊技領域（１０）へと遊技球を発射する発射手段（８）を備え、前記取り付け板（４９）に前記発射手段（８）との間を仕切る前記不正防止壁（６８）を上下方向に設けたことを特徴とする請求項１〜４の何れかに記載の遊技機。
【請求項６】
前記取り付け板（４９）にその上側の前記遊技盤（７）との間を仕切る前記不正防止壁（６７）を左右方向に設けたことを特徴とする請求項５に記載の遊技機。
【請求項７】
前記開閉扉（６）は扉板（６９）と該扉板（６９）の前側に装着された化粧カバー（７１）とを備え、前記扉板（６９）及び前記化粧カバー（７１）に前記放音口（１９）（２０）（７５）を形成し、前記扉板（６９）の裏側に前記扉板（６９）の前記放音口（７５）を取り囲む取り囲み壁（７６）を設けたことを特徴とする請求項５又は６に記載の遊技機。
【請求項８】
前記スピーカ（２５）の側方近傍に、前記開閉扉（６）を前記遊技機本体（１）に施錠する施錠手段（２４）を設け、前記放音口（１９）（２０）（７５）と前記施錠手段（２４）との間に、前記取り付け板（４９）よりも前記開閉扉（６）側に突出する不正防止壁（８７）を設けたことを特徴とする請求項５〜７の何れかに記載の遊技機。
【請求項９】
前記取り付け板（４９）に前記スピーカユニット（５１）の背後の音響室（６５）に連通して前側に突出する後放音ダクト（６６）を設け、前記開閉扉（６）に前記後放音ダクト（６６）に接続して前側に開口する前放音ダクト（８０）又は放音口（２１）を設けたことを特徴とする請求項５〜７に記載の遊技機。
【発明の詳細な説明】
【技術分野】
【０００１】
本発明は、パチンコ機、アレンジボール機、雀球遊技機、スロットマシン等の遊技機に関するものである。
【背景技術】
【０００２】
遊技機、例えばパチンコ機等の弾球遊技機では、大当たりが発生した場合等、そのときの遊技状態を音響的に演出する目的でスピーカを配置している。このスピーカの配置形態には、遊技機本体の前面側の上部に左右一対のスピーカを配置したもの、遊技機本体の前面側の下部にスピーカを配置したもの（特許文献１）、更には遊技機本体の前面側の上部の左右両側と下部とにスピーカを配置したもの等がある。
【０００３】
遊技機本体の前面側の下部にスピーカを配置する場合には、遊技機本体の一部を構成する前枠側の支持板にバスレフ型等のスピーカを装着し、支持板を前側から覆う前カバーに放音口を形成している。
【先行技術文献】
【特許文献】
【０００４】
【特許文献１】特開２００６−３２０４１４号公報
【発明の概要】
【発明が解決しようとする課題】
【０００５】
前カバー側の放音口は、スピーカが直接前面側に露出しないように、多数の小孔を有するメッシュ状に構成するのが一般的である。
【０００６】
しかし、弾球遊技機の前枠の下部には、前カバー側の放音口から比較的近い位置に、遊技盤の遊技領域へと遊技球を発射するための発射手段、球供給皿からの遊技球を発射手段の発射レールへと１個ずつ送る球送り手段が配置される等、弾球遊技機には欠かせない重要な装置類が配置されている。
【０００７】
このため支持板又はスピーカと前カバーとの間に隙間があれば、放音口から前カバーの裏側へとピアノ線等の不正部材を挿入して、その隙間を経て発射手段、球送り手段に不正な工作を加える等の不正行為を招く惧れがある。
【０００８】
このような不正行為を防止するために放音口を小さくするか、又はスピーカと前カバーとの間に隙間が生じないようにすることも考えられる。しかし、放音口が小さくなれば、製作が困難になり製作コストがアップすると共に、音響効果が低下する欠点がある。また前カバーが開閉扉等の場合は、スピーカと開閉扉との間に隙間が生じないようにすることは非常に困難である。
【０００９】
本発明は、かかる従来の問題点に鑑み、放音口からピアノ線等の不正部材を挿入して内部の装置類を操作する不正行為を防止できる遊技機を提供することを目的とする。
【課題を解決するための手段】
【００１０】
本発明は、遊技機本体１側の支持板２８と、該支持板２８の前側を覆う前カバー６とを備え、前記支持板２８にスピーカユニット５１を含むスピーカ２５を、前記前カバー６に前記スピーカ２５に対応する放音口１９，２０，７５を夫々設けた遊技機において、前記スピーカユニット５１をその外周側の取り付け板４９を介して前記支持板２８に装着し、前記取り付け板４９に、前記放音口１９，２０，７５の外側で前記前カバー６側に突出する不正防止壁６７，６８を一体に設けものである。
【発明の効果】
【００１１】
本発明では、放音口１９，２０，７５からピアノ線等の不正部材を挿入して内部の装置類を操作する不正行為を防止できる利点がある。
【図面の簡単な説明】
【００１２】
【図１】本発明の第１の実施例を示すパチンコ機の斜視図である。
【図２】同開閉扉を開放した状態の斜視図である。
【図３】同要部の一部破断平面図である。
【図４】同要部の縦断面図である。
【図５】同前枠下部の正面図である。
【図６】同スピーカの斜視図である。
【図７】同スピーカの分解斜視図である。
【図８】同開閉扉の発射ハンドル側の正面図である。
【図９】同開閉扉の背面図である。
【図１０】本発明の第２の実施例を示す要部の一部破断平面図である。
【図１１】同要部の縦断面図である。
【図１２】本発明の第３の実施例を示す要部の一部破断平面図である。
【発明を実施するための形態】
【００１３】
以下、本発明の実施例を図面に基づいて詳細に説明する。図１〜図９は本発明の第１の実施例を示し、図１、図２において、１は遊技機本体であり、矩形枠状の外枠２と、この外枠２の左側の上下一対のヒンジ３を介して縦軸心廻りに開閉自在及び着脱自在に枢着された前枠４とを備えている。前枠４の前面にはその上下に配置されたガラス扉５と開閉扉６とがヒンジ３と略同一軸心廻りに開閉自在に装着され、ガラス扉５の裏側に遊技盤７が着脱自在に装着されている。
【００１４】
なお、前枠４はヒンジ３と反対側に設けられた施錠手段２２により外枠２に閉状態で施錠されており、またガラス扉５、開閉扉６は同じ側の施錠手段２３，２４により前枠４に閉状態で施錠されている。
【００１５】
遊技盤７の前面には、発射手段８から発射された遊技球を案内するガイドレール９が環状に装着され、そのガイドレール９の内側の遊技領域１０内に図柄表示手段、図柄始動手段、可変入賞手段、普通入賞手段等（何れも図示省略）の複数の遊技部品が装着されている。
【００１６】
ガラス扉５は遊技盤７の遊技領域１０に対応する窓孔１１を有する扉枠１２と、この扉枠１２の裏側に着脱自在に装着され且つ窓孔１１を塞ぐガラスユニット１３とを備え、ガラスユニット１３を介して遊技盤７の遊技領域１０を視認できるようになっている。なお、ガラス扉５の前面上部には左右両側に多数の小孔からなる放音口１４が設けられ、この各放音口１４に対応して前枠４の前面上部の左右両側にスピーカ１５が設けられている。
【００１７】
開閉扉６の前面には、発射用の遊技球を貯留するための供給皿１６が装着され、この供給皿１６を挟んで灰皿１７と発射手段８の発射ハンドル１８とが左右両側に配置されている。また開閉扉６には発射ハンドル１８の上側近傍に前放音口１９，２０が、発射ハンドル１８の供給皿１６側の近傍に前放音口２１が夫々設けられ、この放音口１９〜２１に対応して前枠４の下部にバスレフ型のスピーカ２５が装着されている。
【００１８】
前枠４は合成樹脂製であって、図３、図４に示すように、外枠２の前面側に当接可能な矩形状の枠部２６と、この枠部２６から裏側に突出し且つ外枠２の内部に嵌合する嵌合部２７と、この嵌合部２７の下側で枠部２６の下部に配置された支持板２８とを一体に備え、その嵌合部２７の内周側の遊技盤装着部２９に遊技盤７が前側から嵌脱自在に嵌合され、ガイドレール９と反対側に配置された上下一対の固定具３０により着脱自在に固定されている。
【００１９】
固定具３０は図４、図５に示すように、遊技盤装着部２９の後壁３１から前側に突出する前後方向の固定軸３２と、この固定軸３２に回動自在に設けられ且つ押圧部３４を有する締結摘まみ３３とを備え、遊技盤７の切り欠き部３５に対応して配置されている。締結摘まみ３３は縦方向に向けたときに切り欠き部３５内を通過可能であり、横方向に廻したときに遊技盤７を後壁３１側に締結するようになっている。
【００２０】
上下の固定具３０の押圧部３４の内、その下側の押圧部３４は締結摘まみ３３を横方向に廻したときに切り欠き部３５内で遊技盤７を遊技盤装着部２９のガイドレール９側の側壁へと横方向に押圧し、上側の押圧部３４は締結摘まみ３３を横方向に廻したときに切り欠き部３５内で遊技盤７を遊技盤装着部２９の隅部へと斜め下方に押圧するようになっている。
【００２１】
発射手段８は、図３、図５に示すように板金製の支持基板３６と、この支持基板３６の前面に装着された発射レール３７と、支持基板３６の前面に装着され且つ発射レール３７の遊技球を発射位置に規制する球規制部３８と、支持基板３６の前面で前後方向の駆動軸３９廻りに揺動自在に支持された打撃槌４０と、支持基板３６の裏側に装着され且つ打撃槌４０を駆動軸３９を介して打撃方向に駆動するロータリソレノイド等の駆動手段４１とを備え、開閉扉６の裏側で支持板２８の左右方向の略中央部に配置されている。
【００２２】
そして、この発射手段８は、発射ハンドル１８を操作したときに駆動手段４１により打撃槌４０を駆動して、供給皿１６から発射レール３７上に供給された遊技球を遊技盤７のガイドレール９を経て遊技領域１０側へと発射させるようになっている。なお、発射手段８の上側には、ガラス扉５を開放したときに遊技盤７側から落下する遊技球を受けてファール球通路へと案内する傾斜受け縁４２が支持板２８の上端から前側に屈曲して設けられている。
【００２３】
支持板２８には、図３〜図５に示すように、発射手段８の側方で且つ枠部２６の内壁近傍に、スピーカ２５用の収容室４３を形成する収容箱４４が裏側へと突出して一体に設けられている。収容室４３は前面の開口から後方に凹入する形状であり、この収容室４３の形状に対応して収容箱４４は前面が開放する角箱状となっている。
【００２４】
収容箱４４の底壁側は、前後方向の中間の縦壁４５と、この縦壁４５の下端から前側に屈曲する前底壁４６と、縦壁４５の上端から裏側に屈曲する後底壁４７とを有する段違い状になっている。前底壁４６は外枠２の下端前面に固定された前板４８上に対応する枠部２６の下辺側に接続されている。なお、前底壁４６は、前枠４を閉じる際に、外枠２の前板４８の上縁と干渉しないように後ろ上がりに傾斜している。
【００２５】
スピーカ２５は図３〜図７に示すように、前面側に取り付け板４９を有するスピーカボックス５０と、このスピーカボックス５０内で取り付け板４９に裏側から装着されたスピーカユニット５１とを備えている。スピーカボックス５０は、前後に対向する開口側が前後にインロー嵌合された前ボックス５２と後ボックス５３とを備え、その四隅近傍のボス等の取り付け部５２ａ，５３ａに前ボックス５２側からネジ５４を挿入して着脱自在に締結されている。
【００２６】
前ボックス５２は前後方向の寸法が短く、後ボックス５３は長くなっている。そして、後ボックス５３には収容箱４４に対応して縦壁５５、前底壁５６及び後底壁５７を有する段違い状になっている。またスピーカボックス５０の上壁５８は前下がりに傾斜しており、また固定具３０の締結摘まみ３３と干渉しないように断面円弧状の凹溝５９が前後方向に設けられている。
【００２７】
前ボックス５２の左右両側には１個又は複数個、例えば上下一対の取り付け部６０が設けられ、この各取り付け部６０を介して支持板２８側の取り付け部６１にネジ６２により前側から着脱自在に固定されている。取り付け部６０は前側へと凹入状になっており、この取り付け部６０内に裏側から嵌合するように、支持板２８側の取り付け部６１は支持板２８から前側に突出するボスにより構成されている。
【００２８】
前ボックス５２の取り付け板４９には対角線方向の上隅側に大径の開口６３と、この開口６３を取り囲む取り付け縁６４とが、下隅側に前側へと突出する小径の後放音ダクト６６とが夫々形成され、また前面には遊技盤７、発射手段８等の装置類へのピアノ線等の不正部材の挿入を阻止する不正防止壁６７，６８が周縁部に左右方向及び上下方向に一体に設けられている。後放音ダクト６６はスピーカボックス５０内でスピーカユニット５１の背後に形成された音響室６５に連通している。
【００２９】
スピーカユニット５１は前端外周のフランジ部５１ａが取り付け縁６４に裏側から当接され、取り付け縁６４の外周側の複数個の取り付け部６４ａに裏側から螺合するネジ６４ｂにより取り付け板４９に着脱自在に固定されている。
【００３０】
不正防止壁６７，６８は取り付け板４９の上縁及び側縁にあり、その上縁の不正防止壁６７は両端が取り付け板４９の左右両側から突出するように開口６３の上側を通って左右方向に設けられ、また側縁の不正防止壁６８は取り付け板４９の発射手段８に近い側縁に沿って不正防止壁６７から取り付け板４９の上下方向の略中央等の中間部に渡って上下方向に設けられている。不正防止壁６７，６８は取り付け板４９の前面から前側に突出するリブ状になっている。
【００３１】
なお、不正防止壁６７，６８は、スピーカ２５が配置される位置と、その周辺近傍の不正行為の対象となり易い装置類との関係を考慮しながら、周縁部の全周又は周方向の一部に設ける等、その装置類に対応して取り付け板４９の外周近傍に設ければよい。
【００３２】
前枠４の施錠手段２２，２３，２４側の縦方向の枠部２６は、図３、図５に示すように、左右に所定の間隔をおいて配置された外壁８６及び内壁８７と、この外壁８６及び内壁８７をその前後方向の中間で左右に連結する連結壁８８とを有する。そして、開閉扉６用の施錠手段２４は、前枠４の外壁８６と内壁８７との間に配置されている。内壁８７はスピーカボックス５０の側面に近接して上下方向に設けられると共に、スピーカボックス５０の前面側の取り付け板４９よりも前側に突出している。従って、施錠手段２４に対応する部分の内壁８７は、施錠手段２４に対する不正行為を防止する不正防止壁を構成している。
【００３３】
開閉扉６は図３、図５に示すように、支持板２８の前側を覆うもので、枠部２６の左右幅に対応する横長矩形状の扉板６９と、この扉板６９の裏側に装着された板金製の補強板７０と、扉板６９の前側に装着された化粧カバー７１と、供給皿１６を覆う皿カバー７２等を有する。補強板７０には前側が開放するコ字状の屈曲縁７３を上端に有し、ガラス扉５を閉じたときに、その下端縁７４が屈曲縁７３内に前側から入るようになっている。
【００３４】
扉板６９には、図３、図４、図９に示すように、取り付け板４９の開口６３の前側に対応する多数の小孔状の中放音口７５と、これらの中放音口７５の全体を取り囲み且つ取り付け板４９側へと裏側に突出する取り囲み壁７６とが形成されると共に、後放音ダクト６６が嵌合する接続ダクト７７が前後両側に突出して形成されている。なお、取り囲み壁７６は開閉扉６を閉じたときに取り付け板４９の前面に当接又は近接するようになっている。
【００３５】
化粧カバー７１は図３、図４、図８に示すように、発射ハンドル１８の周辺部が裏側に凹入する凹入部７８となっており、その凹入部７８の底壁７９と、凹入部７８の上側部分とに多数の小孔状の前放音口１９，２０が形成されている。凹入部７８の底壁７９は扉板６９に接近しているため、この底壁７９の前放音口２０はその上側の前放音口１９よりも小さいものになっている。また化粧カバー７１には、接続ダクト７７に嵌合する前放音ダクト８０が前後方向に設けられており、この前放音ダクト８０の前後方向の中間に複数個の小孔状の放音口２１が設けられている。
【００３６】
なお、扉板６９、化粧カバー７１には、中放音口７５と前放音口１９，２０とを取り囲むように通路壁８１，８２が設けられ、その通路壁８１，８２により、中放音口７５からの音が拡散しないようにしている。なお、通路壁８１，８２は、扉板６９、化粧カバー７１の両方に設けてもよいし、何れか一方に設けてもよい。
【００３７】
発射ハンドル１８は保持ケース８５に回動自在に設けられている。保持ケース８５は化粧カバー７１の凹入部７８の孔を貫通して、中放音口７５の下側の裏板８３との間で扉板６９及び補強板７０を挟んで固定されている。開閉扉６の裏側には、発射手段８の発射動作に連動して供給皿１６からの遊技球を１個ずつ発射レール３７上に供給する球送り手段８４が設けられている。
【００３８】
このような構成の弾球遊技機では、遊技中に大当たり等が発生したときに、上部の左右一対のスピーカ１５と、下部の１個のスピーカ２５とにより効果音を発生して、遊技状態を音響的に演出する。この場合、下部にバスレフ型のスピーカ２５を配置しているため、低音の効果音を発生させることができる。
【００３９】
またスピーカ２５はスピーカボックス５０内にスピーカユニット５１を収納しているため、組み立て分解等に際しての取り扱いも非常に容易であり、スピーカユニット５１の振動板の損傷等を極力少なくできる。
【００４０】
支持板２８にはスピーカ収容室４３を形成する収容箱４４を一体に形成し、その収容室４３内にスピーカ２５を収納するようにしているので、支持板２８にスピーカボックス５０が前側から嵌合する開口を形成しただげで、スピーカボックス５０の裏側が開放状になっているものに比較して、支持板２８を含む前枠４の下部側の強度も向上する利点がある。このためスピーカボックス５０を大型化することが可能である。
【００４１】
更にスピーカボックス５０の前面の取り付け板４９には、その上縁に左右方向に延びる不正防止壁６７があり、発射手段８側の側縁に不正防止壁６７から下方に延びる上下方向の不正防止壁６８があるため、開閉扉６の放音口１９，２０，７５からピアノ線等の不正部材を挿入して遊技盤７、発射手段８、施錠手段２４等に不正工作を加えようとしても、不正部材のそれ以上の侵入を不正防止壁６７，６８により阻止できる。このため遊技盤７の遊技釘を不正に曲げたり、入賞手段を不正に作動させたりする不正行為を未然に防止できる。
【００４２】
また施錠手段２４側にはスピーカボックス５０に近接して前側に突出する内壁８７があるため、開閉扉６の放音口１９，２０，７５からピアノ線等の不正部材を挿入して施錠手段２４を解除する不正行為も未然に防止できる。
【００４３】
開閉扉６は扉板６９と化粧カバー７１とを前後に間隔をおいて備え、その両者に小孔状の放音口１９，２０，７５を多数形成しているため、例えば扉板６９側に１個又は数個程度の大きい放音口を設ける場合に比較して、不正部材の取り付け板４９側への挿入が困難であるばかりでなく、仮に不正部材を挿入し得たとしても、挿入後の不正部材の操作が困難となる。このため不正防止壁６７，６８を乗り越えて遊技盤７側へと不正部材を挿入して、目的の特定の遊技釘を曲げる等の不正行為は非常に困難になる。
【００４４】
また化粧カバー７１の凹入部７８の底壁７９に形成された前放音口２０は、その周辺にある前放音口１９よりも小さいため、この底壁７９が扉板６９に接近しているにも拘わらず、この前放音口２０からピアノ線等を挿入することは困難である。
【００４５】
図１０、図１１は本発明の第２の実施例を例示する。この実施例では、支持板２８の収容箱４４の前側に前ボックス５２が装着され、この前ボックス５２と収容箱４４とによりスピーカボックス５０が構成されている。収容箱４４の前端には嵌合部９０が形成され、前ボックス５２の後端がその嵌合部９０に嵌合されている。なお、前ボックス５２の支持板２８に対する取り付け構造、及びその他の構成は、第１の実施例と同様でもよい。
【００４６】
この場合には、収容箱４４がスピーカボックス５０の一部を兼用しているため、構成部材を少なくできる。また収容箱４４により収容室４３の裏側を閉塞しているため、前枠４の下部側の強度の低下も防止できる。
【００４７】
図１２は本発明の第３の実施例を例示する。この実施例では、支持板２８には、開口９１の前後に嵌合部９２，９３が周方向に形成され、その前側の嵌合部９２に前ボックス５２の後端部が、裏側の嵌合部９３に後ボックス５３の前端部が夫々嵌脱自在に嵌合され、その外周の取り付け部９４，９５に螺合するネジ９６，９７により支持板２８に前後両側から着脱自在に固定されている。
【００４８】
この場合には、支持板２８にスピーカ２５用の開口９１があり、支持板２８自体では開口９１の前後両側が開放状になっているが、その前後両側に前ボックス５２、後ボックス５３が嵌合状態で装着されているので、この両ボックス５２，５３によって支持板２８を補強することができる。
【００４９】
以上、本発明の各実施例について詳述したが、本発明は各実施例に限られるものではなく種々の変更が可能である。例えば、下部のスピーカ２５はバスレフ型である必要はなく、単なる密閉型、その他のスピーカ２５でもよい。スピーカ２５がバスレフ型の場合、開閉扉６側の前放音ダクト８０に代えて多数の小孔状の放音口を設けてもよい。
【００５０】
また実施例では、前枠４の下部の支持板２８にスピーカ２５を装着し、その前側に開閉自在に配置された開閉扉６に放音口１９，２０，７５を設けた場合を例示しているが、その支持板２８は前枠４の下部に限らず、上部その他の箇所にあるものでもよい。その場合、支持板２８を前カバーで前側から覆う構造となっておればよい。従って、開閉扉６は支持板２８を前側から覆う前カバーの一例に過ぎない。
【００５１】
実施例の取り付け板４９は前ボックス５２の前面に設けられている。しかし、この取り付け板４９は平板状とし、それを支持板２８又はスピーカボックス５０の開口６３に対応してその前面に取り付けるようにしてもよい。その他、本発明はパチンコ機、アレンジボール、雀球遊技機等の弾球遊技機に限らず、スロットマシン等の各種の遊技機でも同様に実施することができる。  
【符号の説明】
【００５２】
１  遊技機本体
２  外枠
４  前枠
６  開閉扉（前カバー）
７  遊技盤
８  発射手段
１０  遊技領域
１９，２０，７５  放音口
２５  スピーカ
２８  支持板
４３  収容室
４４  収容箱
４９  取り付け板
５０  スピーカボックス
５１  スピーカユニット
６５  音響室
６６  後放音ダクト
６７，６８  不正防止壁
６９  扉板
７１  化粧カバー
８０  前放音ダクト
８７  内壁（不正防止壁）
【図１】
2010227608.tif 000003
【図２】
2010227608.tif 000004
【図３】
2010227608.tif 000005
【図４】
2010227608.tif 000006
【図５】
2010227608.tif 000007
【図６】
2010227608.tif 000008
【図７】
2010227608.tif 000009
【図８】
2010227608.tif 000010
【図９】
2010227608.tif 000011
【図１０】
2010227608.tif 000012
【図１１】
2010227608.tif 000013
【図１２】
2010227608.tif 000014
【手続補正書】
【提出日】平成22年6月18日(2010.6.18)
【手続補正１】
【補正対象書類名】特許請求の範囲
【補正対象項目名】全文
【補正方法】変更
【補正の内容】
【特許請求の範囲】
【請求項１】
遊技機本体側の支持板と、該支持板の前側を覆う前カバーとを備え、前記支持板にスピーカユニットを含むスピーカを、前記前カバーに前記スピーカに対応する放音口を夫々設けた遊技機において、前記支持板に、該支持板から後方に突出し且つ前記スピーカを収容する収容箱を設け、前記スピーカは前面側に取り付け板を有するスピーカボックスと、該スピーカボックス内に配置され且つ前端が開口に対応して前記取り付け板に取り付けられた前記スピーカユニットとを備え、前記取り付け板を前記収容箱の前側で前記支持板に装着し、前記取り付け板に、前記スピーカボックス内で前記スピーカユニットの背後の音響室に連通する後放音ダクトと、前記放音口よりも外周側に対応して配置された不正防止壁とを前記前カバー側に突出して一体に設け、前記前カバーに、前後方向の中間に小孔状の放音口が形成された前放音ダクトと、該前放音ダクト及び前記後放音ダクトに嵌合して該両放音ダクトを接続する接続ダクトと、前記放音口の全周を外側から取り囲み且つ前記取り付け板の前面に当接する取り囲み壁とを設けたことを特徴とする遊技機。
【手続補正２】
【補正対象書類名】明細書
【補正対象項目名】００１０
【補正方法】変更
【補正の内容】
【００１０】
本発明は、遊技機本体１側の支持板２８と、該支持板２８の前側を覆う前カバー６とを備え、前記支持板２８にスピーカユニット５１を含むスピーカ２５を、前記前カバー６に前記スピーカ２５に対応する放音口１９，２０，７５を夫々設けた遊技機において、前記支持板２８に、該支持板２８から後方に突出し且つ前記スピーカ２５を収容する収容箱４４を設け、前記スピーカ２５は前面側に取り付け板４９を有するスピーカボックス５０と、該スピーカボックス５０内に配置され且つ前端が開口６５に対応して前記取り付け板４９に取り付けられた前記スピーカユニット５１とを備え、前記取り付け板４９を前記収容箱４４の前側で前記支持板２８に装着し、前記取り付け板４９に、前記スピーカボックス５０内で前記スピーカユニット５１の背後の音響室６５に連通する後放音ダクト６６と、前記放音口１９，２０，７５よりも外周側に対応して配置された不正防止壁６７，６８とを前記前カバー６側に突出して一体に設け、前記前カバー６に、前後方向の中間に小孔状の放音口２１が形成された前放音ダクト８０と、該前放音ダクト８０及び前記後放音ダクト６６に嵌合して該両放音ダクト６６，８０を接続する接続ダクト７７と、前記放音口７５の全周を外側から取り囲み且つ前記取り付け板４９の前面に当接する取り囲み壁７６とを設けたものである。
【手続補正３】
【補正対象書類名】明細書
【補正対象項目名】００１１
【補正方法】変更
【補正の内容】
【００１１】
本発明では、放音口からピアノ線等の不正部材を挿入して内部の装置類を操作する不正行為を防止できる利点がある。